(57)【要約】      （修正有）【課題】  モジュール式筐体を有する流体フィルタおよび製造方法を提供する。【解決手段】  複数の異なる大きさの流体エレメントから選択したフィルタエレメント２４を含む流体フィルタアセンブリ２０。フィルタ筐体２２は入口筐体部２６と、出口筐体部２８と、１つまたは複数のモジュール式筐体部３０とを含む。モジュール式筐体部は入口筐体部と出口筐体部との間に位置するとともに、筐体内に含まれるモジュール式筐体部の数は選択されたフィルタエレメントの大きさにより決まる。代替数のモジュール式筐体部を用いることにより、フィルタ筐体を異なる大きさの各フィルタエレメントと共に使用するように構成することができる。【選択図】    図１
2006116541.tif 000002
【特許請求の範囲】
【請求項１】
入口筐体部を設けるステップと、
出口筐体部を設けるステップと、
共通の構成を有する複数のモジュール式筐体部を設けるステップと、
複数の異なる大きさのフィルタエレメントを識別するステップであって、所定数の前記モジュール式筐体部を前記入口筐体部と前記出口筐体部との間に固定することにより、前記異なる大きさのフィルタエレメントの各々に対するフィルタ筐体を組み立てることができるとともに、前記識別された複数のフィルタエレメントが少なくとも２つの異なる所定数のモジュール式筐体部に対応するステップと、
前記異なる大きさのフィルタエレメントのうちの１つを選択するステップと、
前記選択したフィルタエレメントに対応する前記所定数のモジュール式筐体部を前記入口筐体部と前記出口筐体部との間に固定することにより、前記選択したフィルタエレメントに対するフィルタ筐体を組み立てるステップとを含む流体フィルタの製造方法。
【請求項２】
前記モジュール式筐体部が略円筒形状且つ同軸固定可能であるとともに、前記モジュール式筐体部が、前記入口筐体部と前記出口筐体部との間に固定されたモジュール式筐体部の数によって可変の長手方向長さの円筒フィルタキャビティを規定する請求項１に記載の方法。
【請求項３】
前記複数の識別されたフィルタエレメントが複数の異なるフィルタ長さを規定する複数のバッグフィルタを含む請求項２に記載の方法。
【請求項４】
前記複数の識別されたフィルタエレメントが前記組み立てられたフィルタ筐体内に前記識別されたフィルタエレメントを装着するための共通の装着界面を含む請求項１に記載の方法。
【請求項５】
前記入口筐体部が前記共通の装着界面に脱着可能に係合可能であることにより、前記識別されたフィルタエレメントが前記入口筐体部に着脱可能に固定できる請求項４に記載の方法。
【請求項６】
前記モジュール式筐体部が共通端部構成を規定する対向端を有し、前記入口筐体部および前記出口筐体部が各々前記共通端部構成を封止係合するための共通組立界面を規定する請求項１に記載の方法。
【請求項７】
前記モジュール式筐体部のうちの任意の２つを切縁相互接合できる請求項６に記載の方法。
【請求項８】
前記モジュール式筐体部が略円筒状である請求項７に記載の方法。
【請求項９】
複数の異なる大きさのフィルタエレメントのうちの１つから選択されたフィルタエレメントと、
フィルタ筐体とを備え、前記フィルタ筐体が、
入口筐体部と、
出口筐体部と、
前記入口筐体部と前記出口筐体部との間に配置され、流体を前記入口筐体部から前記出口筐体部へ連通させる選択数のモジュール式筐体部であって、各々が共通構成を有するモジュール式筐体部とを含み、
前記モジュール式筐体部の数が異なる大きさのフィルタエレメントに対して異なり、前記入口筐体部と前記出口筐体部との間に配置された前記モジュール式筐体部の選択数が前記選択されたフィルタエレメントにより決まる流体フィルタアセンブリ。
【請求項１０】
前記モジュール式筐体部が略円筒であり、複数の前記モジュール式筐体部が前記入口筐体部と前記出口筐体部との間に同軸配置されている請求項９に記載の流体フィルタアセンブリ。
【請求項１１】
前記複数の異なる大きさのフィルタエレメントが異なる長さのバッグを有する複数のバッグフィルタを含む請求項９に記載の流体フィルタアセンブリ。
【請求項１２】
前記複数の異なる大きさのフィルタエレメントが各々前記フィルタ筐体と係合可能な共通装着界面を有する請求項９に記載の流体フィルタアセンブリ。
【請求項１３】
前記共通装着界面が前記入口筐体部と脱着可能に係合可能である請求項１２に記載の流体フィルタアセンブリ。
【請求項１４】
前記モジュール式筐体部が共通端部構成を規定する対向端を有し、前記入口筐体部および前記出口筐体部が各々前記共通端部構成のうちの１つと封止係合されている共通組立界面を規定する請求項９に記載の流体フィルタアセンブリ。
【請求項１５】
複数のモジュール式筐体部が切縁相互接合されるとともに前記入口筐体部と前記出口筐体部との間に配置されている請求項１４に記載の流体フィルタ。
【請求項１６】
前記複数のモジュール式筐体部が略円筒状である請求項１５に記載の流体フィルタ。
【請求項１７】
前記入口筐体部が前記モジュール式筐体部へのアクセスを提供するとともにそれを通して前記選択されたフィルタエレメントの設置および除去を可能にするアクセス開口を規定し、前記流体フィルタが、
前記入口筐体部に着脱可能に固定可能なキャップをさらに備え、前記アクセス開口と、前記キャップと前記入口筐体部とを封止閉鎖する請求項９に記載の流体フィルタ。
【請求項１８】
前記キャップと前記入口筐体部とがカム界面により固定可能である請求項１７に記載の流体フィルタ。
【請求項１９】
前記キャップと前記入口筐体部との間に封止配置されたＶ字型ガスケットをさらに備え、前記Ｖ字型ガスケットが前記入口筐体部内に送られた流体と連通する開放端を有する請求項１７に記載の流体フィルタ。
【請求項２０】
前記フィルタ筐体がフィルタ開口を規定し、前記複数の異なる大きさのフィルタエレメントが各々前記フィルタ開口内に装着可能な装着リングを含み、前記装着リングの各々が共通の装着界面を有し、前記装着界面が軸方向延在部分と前記フィルタ開口より大きい直径を有する半径方向外側延在フランジとを含み、前記フランジが、前記フィルタ開口と連通する前記装着リングの固定により前記フィルタ開口を囲む前記フィルタ筐体の一部分と流体密封係合するように付勢されている請求項９に記載の流体フィルタ。
【請求項２１】
前記装着リングの前記軸方向延在部分がそこから半径方向に外側に延在する環状リブを含み、前記リブが前記フィルタ開口内に規定される環状溝内に収容可能であることにより、前記装着リングの前記軸方向延在部分を前記フィルタ開口内に固定する請求項２０に記載の流体フィルタ。
【請求項２２】
複数の異なる大きさのフィルタエレメントと、
入口筐体部と、
出口筐体部と、
各々共通の構成を有する複数のモジュール式筐体部とを含み、
複数の異なる大きさのフィルタキャビティを規定する複数の流体フィルタ筐体が、他の数量の前記モジュール式筐体部を前記入口筐体部と前記出口筐体部との間に固定することにより前記入口筐体部と、前記出口開口部と、前記複数のモジュール式筐体部とから製造可能であるとともに、前記複数の異なる大きさのフィルタキャビティのそれぞれ１つが前記異なる大きさのフィルタエレメントの各々を受容するような大きさに形成されている流体フィルタアセンブリシステム。
【請求項２３】
前記モジュール式筐体部が略円筒状であるとともに、前記モジュール式筐体部が前記入口筐体部と前記出口筐体部との間に同軸固定可能である請求項２２に記載の流体フィルタアセンブリシステム。
【請求項２４】
前記複数の異なる大きさのフィルタエレメントが異なる長さのバッグを有する複数のバッグフィルタを備える請求項２３に記載の流体フィルタアセンブリシステム。
【発明の詳細な説明】
【技術分野】
【０００１】
本発明は流体フィルタに関し、特にモジュール式筐体を有する流体フィルタに関する。
【背景技術】
【０００２】
流体フィルタは多数の製造および処理用途を有する。例えば化学的用途、水用途、塗料および塗膜用途、プラスチックおよび樹脂用途、エレクトロニクスおよび半導体用途、商用発電用途、食品および飲料用途、ならびに製薬用途に流体フィルタを用いることが多い。
【０００３】
従来の流体フィルタは着脱可能なフィルタエレメントを受容するフィルタ筐体を含んでおり、フィルタエレメントを用いて流体内の粒子および他の物質を捕捉して除去する。フィルタエレメントは通例フィルタカートリッジまたはフィルタバッグのいずれかの形状をなしている。各用途の個々の状況で流体フィルタの必要な容量が決まり、従来の流体フィルタはエンドユーザーの異なるニーズを満たすようにいくつかの標準的な大きさで製造されている。流体フィルタ筐体は通例特に標準的な大きさのフィルタエレメントを保持するように製造されている。
【０００４】
流体フィルタ筐体の製造において、２つ以上の大きさのフィルタ筐体の製造に用いられるいくつかの共通フィルタ筐体部品がある場合があるが、通例フィルタエレメントが配置されるフィルタ筐体の容積を規定するとともにフィルタ筐体の個々の大きさ毎に特異のいくつかの筐体構成要素がある。
【０００５】
周知の流体フィルタおよび製造方法は有効であるが、よりコスト効率よく製造できる改良流体フィルタが望ましい。
【０００６】
【特許文献１】米国特許第４,６６９,１６７号明細書
【発明の開示】
【発明が解決しようとする課題】
【０００７】
本発明は異なる容量を有するフィルタ筐体を製造するために共通の部品を利用するモジュール式筐体を有する流体フィルタを提供する。
【課題を解決するための手段】
【０００８】
本発明は一形態において流体フィルタの製造方法を含む。この方法は入口筐体部を設けるステップと、出口筐体部を設けるステップと、共通の構成を有する複数のモジュール式筐体部を設けるステップとを含む。またこの方法は複数の異なる大きさのフィルタエレメントを識別するステップであって、所定数のモジュール式筐体部を入口筐体部と出口筐体部との間に固定することにより、異なる大きさのフィルタエレメントの各々に対するフィルタ筐体を組み立てることができるとともに、識別された複数のフィルタエレメントが少なくとも２つの異なる所定数のモジュール式筐体部に対応するステップも含む。異なる大きさのフィルタエレメントのうちの１つを選択し、選択したフィルタエレメントに対応する所定数のモジュール式筐体部を入口筐体部と出口筐体部との間に固定することにより、選択したフィルタエレメントに対してフィルタ筐体を組み立てる。
【０００９】
本発明は他の形態において、複数の異なる大きさのフィルタエレメントのうちの１つから選択されたフィルタエレメントと、フィルタ筐体とを含む流体フィルタアセンブリを備える。フィルタ筐体は、入口筐体部と、出口筐体部と、入口筐体部と出口筐体部との間に配置された選択数のモジュール式筐体部とを含む。モジュール式筐体部は流体を入口筐体部から出口筐体部へ連通させ、モジュール式筐体部の各々は共通構成を有する。モジュール式筐体部の数は異なる大きさのフィルタエレメントに対して異なり、入口筐体部と出口筐体部との間に配置されたモジュール式筐体部の選択数は選択されたフィルタエレメントにより決まる。
【００１０】
本発明はさらに他の形態において、複数の異なる大きさのフィルタエレメントと、入口筐体部と、出口筐体部と、各々共通の構成を有する複数のモジュール式筐体部とを含む流体フィルタアセンブリシステムを備える。複数の異なる大きさのフィルタキャビティを規定する複数の流体フィルタ筐体は、他の数量のモジュール式筐体部を入口筐体部と出口筐体部との間に固定することにより入口筐体部と、出口開口部と、複数のモジュール式筐体部とから製造可能である。複数の異なる大きさのフィルタキャビティのそれぞれ１つが異なる大きさのフィルタエレメントの各々を受容するような大きさに形成されている。
【発明の効果】
【００１１】
本発明の利点は、最小数の異なる部品を使用して異なる大きさを有する流体フィルタの効率的な製造を可能にする流体フィルタシステムを提供することである。
【００１２】
添付の図面と共に以下の本発明の実施形態の説明を参照することにより、本発明の上記のおよび他の特徴と目的とそれらを達成する方法とがより明らかになるとともに本発明自体をよりよく理解できよう。
【００１３】
いくつかの図を通して対応する参照符号は対応する部分を示す。本明細書に述べた例証は本発明の一実施形態を説明するが、以下に開示する実施形態は包括的なまたは本発明の範囲を開示の厳密な形態に限定するものとして解釈されることを意図するものではない。
【発明を実施するための最良の形態】
【００１４】
本発明によるモジュール式流体フィルタアセンブリ２０が図１に示されている。フィルタアセンブリ２０はフィルタ筐体２２とフィルタエレメント２４とを含む。フィルタ筐体２２は入口筐体部２６と出口筐体部２８とモジュール式筐体部３０とを含む。図示の実施形態ではフィルタエレメント２４はバッグフィルタであり、フィルタバスケット３２内に配置されている。カートリッジフィルタエレメントを本発明の代替実施形態と共に用いてもよい。図１に図示したフィルタアセンブリ２０では２つのモジュール式筐体部３０が入口筐体部２６と出口筐体部２８との間に配置されている。以下により詳細に説明するように代替数のモジュール式筐体部３０を用いてもよい。
【００１５】
個々のモジュール式筐体部３０が図２および３に示されている。これらの２つの図面に見られるようにモジュール式筐体部３０は略円筒状である。外側延在リング３４が筐体部３０の長手方向中央部において筐体部３０の外面上に位置している。筐体部の側壁３６は若干先細りになっており、リング３４付近でより厚く、筐体部３０の対向端３８付近でより薄い。側壁３６の先細りによりモジュール式筐体部３０の製造時の離型が容易になる。側壁３６の内面は内部円筒キャビティ４０を規定する。
【００１６】
モジュール式筐体部３０は切縁相互的(end-to-end)且つ同軸的に接合されている。換言すれば隣接する筐体部３０の端３８をフィルタ筐体２２の組立時に互いに当接させる。隣接筐体部３０の端３８はその間に流体密封を形成しており、当接端３８を溶接により接合し得る。例えば図示の実施形態では筐体部３０は２０％グラスファイバ充填量を有するポリプロピレンで形成されているとともに、隣接する筐体部３０は、接合すべき２つの端３８間に加熱板を介在させ、端３８が十分に加熱された後、加熱板を外して２つの端３８を互いに付勢することにより冷却するにつれて互いに融合することにより互いに溶接されている。スピン溶接または流体密封接合を形成するための任意の他の適切な方法により端３８を互いに接合してもよい。
【００１７】
上述したように各モジュール式筐体部３０の対向端３８は同一構成を有する。そのため入口筐体部２６と出口筐体部２８との間に位置するモジュール式筐体部３０の数にかかわらず、接合された筐体部３０は入口筐体部２６と出口筐体部２８とにそれぞれ接合できる２つの対向端３８を有することになる。入口および出口筐体部２６、２８は各々開口４４を規定する円筒壁の形状をなす組立界面４２を有する。組立界面４２は、端３８ならびに入口筐体部および出口筐体部２６、２８と同一構成を有する。入口および出口筐体部２６、２８も２０％グラスファイバ充填量を有するポリプロピレンで形成されている。そのため入口および出口筐体部２６、２８の組立界面４２を、別々のモジュール式筐体部３０の端３８を相互接合した方法と同様に、モジュール式筐体部３０の端３８に接合することができる。
【００１８】
アセンブリ２０の入口筐体部２６が図８、９および１０に示されており、開口４４と同軸且つ反対側に位置するアクセス開口４６を含んでいる。入口筐体部２６はまたねじ込み入口開口４８を有し、この入口開口４８はフィルタアセンブリ２０により濾過される流体を受容する流体ラインに接合されている。図８および９に最もよく見えるように、キャップ５６を入口筐体部２６に固定するためのカム界面は略円筒入口筐体部２６の外面上に位置する一連のカム係止部材５０を含む。カム係止部材５０は周囲方向延在係止部分５２と長手方向延在ストップ５４とを含む。キャップ５６はキャップ５６の内面に沿って周囲方向に延在する複数の協働カムロック５８を含む。カムロック５８は各々傾斜面６０と係止面６２とを含む。キャップ５６を入口筐体部２６に装着する際、キャップ５６が入口筐体部２６上に長手方向に装着されるとカムロック５８は係止部材５０間に嵌合する。キャップ５６を回転させて各傾斜面６０を入口筐体部２６上の係止部材５０のうちの１つに係合させる。キャップ５６を回転させると、係止面６２が回転して係止部分５２と係合しキャップ５６を入口筐体部２６と密封係合させる。キャップ５６をさらに回転させると、カムロック５８はストップ５４を係合することによりキャップ５６の過剰回転を防止する。
【００１９】
Ｖ字型ガスケット６６（図１Ａ）を用いてキャップ５６と入口筐体部２６との間に流体密封を形成する。ガスケット６６はアクセス開口４６を規定する入口筐体部２６の内側半径方向面６４とキャップ５６上に位置する円筒口縁６８との間に位置している。ガスケット６６は入口筐体２６の内部容積に面する開放端７０を有するため、ガスケット６６の内部はフィルタアセンブリ２０内の流体と流体連通している。その結果加圧流体がフィルタアセンブリ２０内にあるときは、その流体はガスケット６６の２つの別々の脚部を離間してそれぞれ内面６４および口縁６８の外側半径方向面と封止接触するように付勢する。入口筐体部２６はその上縁に通気孔６７を含み、通気孔６７はキャップ５６が正しく収容された場合にガスケット６６により封止される。キャップが正しく収容されていない場合には、フィルタが充填されると液体が通気孔６７から漏れてユーザに警告する。
【００２０】
フィルタエレメント２４は組立界面４２付近での入口筐体部２６との係合により固定されている。フィルタエレメント２４はスナップフィット係合で入口筐体部２６に着脱可能に装着される装着リング７２を有する。リング７２は外側半径方向延在フランジ７４と、分割し得る外側延在環状リブ７８を有する略円筒部７６とを含む装着界面を規定する。またリング７２はより小径を有する第２の円筒装着部８０を含む。フィルタバック８２は装着部８０に固定されている。図示の実施形態ではリング７２はポリプロピレンで形成されている。しかしナイロン、ポリエステルまたはスチールなどの他の材料を用いてバッグ型フィルタエレメントの装着リングを形成してもよい。
【００２１】
フィルタバッグ８２は従来の不織布フェルトフィルタバッグである。このようなフィルタバッグは、当業者には周知のようにポリエステル、ポリプロピレン、ナイロン、ノーメックス、テフロン（登録商標）または他の適当な材料などの多様な材料の繊維から形成し得る。フィルタバッグ８２は超音波溶接部８４によってリング７２の装着部８０に取り付けられた開放端を有する。縫合または他の適当な手段を代替的にまたは追加的に用いてバッグ８２をリング７２に取り付けてもよい。本発明と共に用いるのに適したバッグ型フィルタエレメントはインディアナ州ミシガン・シティー(Michigan City,Indiana)に事業拠点を有するフィルタ・スペシャリスツ・インコーポレーテッド(Filter Specialists Inc.)から市販されている。明確にするためにフィルタバッグ８２は図１に示していない。
【００２２】
フィルタエレメント２４をフィルタ筐体２２内に設置する際には、フィルタバッグ８２をアクセス開口４６と開口４４とを介してモジュール式筐体部３０の内部容積４０内へ、装着リング７２が開口４４に隣接する入口筐体部２６を係合するまで挿入することにより、フィルタエレメント２４をアセンブリ２０内に固定する。装着リング７２のスナップフィット固定は図１Ｂおよび１Ｃに最もよく見られる。図１Ｂは固定直前の装着リング７２を図示している。図１Ｂに見られるように、外側半径方向フランジ７４は円筒部７６と鋭角をなすとともに、リング７２の軸方向延在部分８０、７６が開口４４内にさらに挿入されると、半径方向フランジ７４が開口４４を取り囲む傾斜肩面８６を密封係合する。環状溝８８が開口４４内に位置し、リブ７８を溝８８内に収容することにより装着リング７２が正しい位置に固定される。図１Ｃに図示するようにリブ７８を溝８８内に収容することで、外側半径方向フランジ７４が肩面８６と係合するにつれやや上方に押し上げることにより、フランジ７４と肩面８６との間に流体密封を形成する。図１Ｃの破線７４ａは未付勢状態の半径方向フランジ７４の位置を図示している。
【００２３】
またリング７２にわたって略直径方向に延びる内部ハンドル（図示せず）をリング７２に設けることにより、リング７２の挿入および取り外し時にリング７２をより容易に半径方向に内側に曲げることができる。このようなハンドルは（特許文献１）に開示されており、本明細書に引用して援用する。
【００２４】
バッグ型フィルタエレメントを用いる場合、本発明と共に網状のフィルタバスケット３２を任意に用い得る。フィルタバスケット３２はフィルタバッグの長さに対応する長さを有し、濾過操作中にフィルタバッグがフィルタ筐体の内面を係合しないように用いられる。フィルタバスケット３２はモジュール式筐体部３０により規定されるフィルタ容積内に配置されるとともに、出口筐体部２８内に位置するリブ９０上に載る。フィルタバスケット３２は、突起９４を有する図４および５に最もよく見られるような表面エリアの大部分にわたって、流体開口９２を規定する全体的有孔構造を有する。
【００２５】
濾過操作中、流体は入口４８を介してフィルタアセンブリ２０へ進入し、その後リング７２および開口４４を通過してフィルタバッグ８２内に進入する。その後流体はバッグ８２を通過する。流体がバッグ８２を通過すると、流体が濾過されて粒子が流体から除去される。その後濾過流体はフィルタバスケット３２内の開口９２を通過する。濾過流体はフィルタバスケット３２とフィルタ筐体２２の内面との間を出口筐体部内２８のねじ込み出口開口９６に向かって流れ、そこでフィルタアセンブリ２０から出る。
【００２６】
出口筐体部２８が図１１および１２に示されており、フィルタアセンブリ２０を垂直方向に支持するための３つの足部９８を含む。出口筐体部２８の内部容積内に位置するリブ９０は図１１に最もよく見える。
【００２７】
バッグ型フィルタエレメント２４が図１３に図示されている。図示のフィルタエレメント２４において、フィルタバッグ８２は、図１の流体フィルタアセンブリ２０内に示されているように２つのモジュール式筐体部３０の使用により規定されるフィルタキャビティ４０に対応する長さを有する。破線８２ａおよび８２ｂは２つの別の大きさのフィルタエレメントの長さを示している。いずれの場合も異なる大きさのバッグ型フィルタエレメントは、同一構成を有する装着リング７２を用いることにより、入口筐体部２６内で上述のスナップフィット固定方法を用いて各バッグを装着することもできる。
【００２８】
上述のようにモジュール式筐体部３０は各々同一構成を有するとともに同軸固定可能であることにより、相互接合されるモジュール式筐体部３０の数に応じて変わる長さを有するフィルタキャビティ４０を規定する。そのため長さ８２ａを有するバッグを有するフィルタエレメントを用いる流体フィルタを製造したい場合、図１４に表すように単一のモジュール式筐体部３０のみを用いてフィルタ筐体を構成する。これにより図１４に示された流体フィルタアセンブリ２０ａは、選択フィルタエレメントと共に使用するのに適した長さを有するフィルタキャビティ４０を規定する。同様に長さ８２ｂを有するバッグを有するフィルタエレメントを用いる流体フィルタの製造が望ましい場合、３つのモジュール式筐体部３０を用いてフィルタ筐体を構成することにより、適当な長さを有するフィルタキャビティ４０を規定する。
【００２９】
これにより本発明は多様な異なる大きさのフィルタエレメントに対するフィルタ筐体の効率的な製造を容易にする。フィルタ筐体の各々は異なるフィルタエレメントの各々を着脱可能に装着することができる入口筐体部２６と、出口筐体部２８と、１つまたは複数のモジュール式筐体部３０とを用いる。モジュール式筐体部の数はフィルタ筐体を一緒に使用しようとするフィルタエレメントの大きさにより決まる。
【００３０】
本発明を例示の設計を有するものとして説明してきたが、本発明を開示の要旨と範囲とから逸脱することなくさらに変更し得る。そのため本出願は本発明の一般的な原理を用いるいかなる変形、使用、または適応も網羅しようとするものである。
【図面の簡単な説明】
【００３１】
【図１】本発明による流体フィルタアセンブリの断面図である。
【図１Ａ】キャップの取り付けを示す図１の流体フィルタアセンブリの詳細図である。
【図１Ｂ】フィルタエレメントの取付方法を図示する図１の流体フィルタアセンブリの詳細図である。
【図１Ｃ】図１Ｂと同様でありフィルタエレメントの取付方法をさらに図示する図１の流体フィルタアセンブリの詳細図である。
【図２】モジュール式筐体部の平面図である。
【図３】図２の線２−２に沿ったモジュール式筐体部の断面図である。
【図４】フィルタバスケットの側面図である。
【図５】図４のフィルタバスケットの端面図である。
【図６】流体フィルタキャップの平面図である。
【図７】図６の線７−７に沿ったキャップの断面図である。
【図８】入口筐体部の平面図である。
【図９】図８の入口筐体部の側面図である。
【図１０】図８の線１０−１０に沿った入口筐体部の断面図である。
【図１１】出口筐体部の平面図である。
【図１２】図１１の線１２−１２に沿った出口筐体部の断面図である。
【図１３】フィルタエレメントの斜視図である。
【図１４】他の流体フィルタアセンブリの側面図である。
【符号の説明】
【００３２】
２０  （流体）フィルタアセンブリ
２０ａ  流体フィルタアセンブリ
２２  フィルタ筐体
２４  フィルタエレメント
２６  入口筐体部
２８  出口筐体部
３０  （モジュール式）筐体部
３２  フィルタバスケット
３４  （外側延在）リング
３６  側壁
３８  端
４０  円筒キャビティ／フィルタキャビティ／内部容積
４２  組立界面
４４  開口
４６  アクセス開口
４８  入口（開口）
５０  （カム）係止部材
５２  （周囲方向延在）係止部分
５４  （長手方向延在）ストップ
５６  キャップ
５８  （協働）カムロック
６０  傾斜面
６２  係止面
６４  内側半径方向面／内面
６６  （Ｖ字型）ガスケット
６７  通気孔
６８  円筒口縁
７０  開放端
７２  （装着）リング
７４  （外側半径方向延在）フランジ
７４ａ  破線
７６  略円筒部／軸方向延在部分
７８  （外側延在環状）リブ
８０  （第２の円筒）装着部／軸方向延在部分
８２  （フィルタ）バック
８２ａ  破線／長さ
８２ｂ  破線／長さ
８４  超音波溶接部
８６  （傾斜）肩面
８８  （環状）溝
９０  リブ
９２  （流体）開口
９４  突起
９６  出口開口
９８  足部
【図１】
2006116541.tif 000003
【図１Ａ】
2006116541.tif 000004
【図１Ｂ】
2006116541.tif 000005
【図１Ｃ】
2006116541.tif 000006
【図２】
2006116541.tif 000007
【図３】
2006116541.tif 000008
【図４】
2006116541.tif 000009
【図５】
2006116541.tif 000010
【図６】
2006116541.tif 000011
【図７】
2006116541.tif 000012
【図８】
2006116541.tif 000013
【図９】
2006116541.tif 000014
【図１０】
2006116541.tif 000015
【図１１】
2006116541.tif 000016
【図１２】
2006116541.tif 000017
【図１３】
2006116541.tif 000018
【図１４】
2006116541.tif 000019
【外国語明細書】
2006116541000001.pdf